(57)【要約】【課題】メガネのレンズに磁石により係止された装飾体および磁石の落下による紛失を防止することができるメガネレンズ用装飾体を提供する。【解決手段】  装飾体３０が組み込まれた台座２０とレンズ裏面用磁石４０とがチェーン部１０ａ，１０ｂに取り付けられている。メガネのレンズ７０に装着された状態で、例えば装飾体３０が何かに接触してレンズ７０上での台座２０とレンズ裏面用磁石４０との位置関係がずれて、装飾体３０およびレンズ裏面用磁石４０が落下しても、台座２０およびレンズ裏面用磁石４０は、メガネフレーム装着部６５によってメガネのフレームに装着されたチェーン部１０ｂを介して、当該フレームに吊り下げられた状態になる。【選択図】  図１
2010002479.tif 000002
【特許請求の範囲】
【請求項１】
メガネレンズに装着される装飾体であって、
前記メガネレンズの一方の面に係止される台座と、
前記台座に固定された装飾体本体と、
前記メガネレンズの他方の面の前記台座が係止された位置と相対する位置に前記台座との間の磁力によって係止される係止体と、
メガネのフレームに着脱自在に装着され、前記台座と前記係止体とが取り付けられた線状体と
を有するメガネレンズ用装飾体。
【請求項２】
前記線状体の一端に前記台座が固定され、前記線状体の他端に、前記フレームに着脱自在に装着されるメガネフレーム装着部が設けられており、
前記線状体上の前記台座と前記メガネフレーム装着部との間に前記係止体が固定されている
請求項１に記載のメガネレンズ用装飾体。
【請求項３】
前記台座は、ドーナツ形状であり、その中空部内に前記装飾体の一部が埋め込まれている
請求項１に記載のメガネレンズ用装飾体。
【請求項４】
前記台座および前記係止体の各々に、相互に磁力によって引き合う永久磁石が設けられている
請求項１〜３のいずれかに記載のメガネレンズ用装飾体。
【請求項５】
前記係止体には、装飾体が埋め込まれている
請求項１〜４のいずれかに記載のメガネレンズ用装飾体。
【請求項６】
前記線状体は、チェーンであり、
前記メガネフレーム装着部は、前記チェーンに沿って移動可能に当該チェーンを貫通させた貫通孔を備えており、その表面に設けられた係止部に、前記チェーンの一端が取り付けられている
請求項２〜４のいずれかに記載のメガネレンズ用装飾体。
【請求項７】
前記メガネフレーム装着部には、装飾体が埋め込まれている
請求項１〜６のいずれかに記載のメガネレンズ用装飾体。
【請求項８】
前記線状体の長さは、５〜３０ｃｍである
請求項１〜７のいずれかに記載のメガネレンズ用装飾体。
【請求項９】
メガネレンズに装飾体を装着するために用いられるメガネ用装飾体装着具であって、
前記メガネレンズの一方の面に係止され、前記装飾体が固定される台座と、
前記メガネレンズの他方の面の前記台座が係止された位置と相対する位置に前記台座との間の磁力によって係止される係止体と、
メガネのフレームに着脱自在に装着され、前記台座と前記係止体とが取り付けられた線状体と
を有するメガネ用装飾体装着具。
【発明の詳細な説明】
【技術分野】
【０００１】
本発明は、メガネレンズに装着する装飾体に関するものである。
【背景技術】
【０００２】
近年、メガネには機能性に加えて高い装飾性が求められている。
このような要求に応じて、例えば、メガネのフレームに様々な装飾性を持たせること以外に、メガネレンズの任意の位置に磁石により、装飾体を係止させる技術がある（特許文献１）。
この技術は、第１の磁石を両面粘着テープによりメガネレンズの裏面の所望の位置に貼り付け、それに相対するレンズの表面の位置に、装飾物が固定された第２の磁石を回動自在に磁着するものである。
【特許文献１】特開２０００−３１８３９５号公報
【発明の開示】
【発明が解決しようとする課題】
【０００３】
しかしながら、上述した従来のメガネ用装飾体では、装飾体が他の物体に当たったときなどに、上記第１の磁石と第２の磁石との位置がずれて装飾体がメガネレンズから落下し、紛失してしまう可能性があるという問題がある。
【０００４】
本発明はかかる事情に鑑みてなされたものであり、その目的は、メガネのレンズに磁石により係止された装飾体が落下により紛失することを防止することができるメガネレンズ用装飾体およびメガネ用装飾体装着具を提供することにある。
【課題を解決するための手段】
【０００５】
上述した従来の問題点を解決し、上述した目的を達成するために、第１の観点の発明のメガネレンズ装飾体は、メガネレンズに装着される装飾体であって、前記メガネレンズの一方の面に係止される台座と、前記台座に固定された装飾体本体と、前記メガネレンズの他方の面の前記台座が係止された位置と相対する位置に前記台座との間の磁力によって係止される係止体と、メガネのフレームに着脱自在に装着され、前記台座と前記係止体とが取り付けられた線状体とを有する。
【０００６】
第１の観点の発明のメガネレンズ装飾体では、前記線状体の他端がメガネのフレームに装着される。また、台座がメガネレンズの一方の面の所望の位置に置かれ、メガネレンズの他方の面の相対する位置に係止体が台座と引き合う姿勢で置かれる。
そして、係止体と台座とが磁力により引き合う力によって台座と係止体がメガネレンズに押し付けられ、それによって生じる摩擦力によって間がメガネレンズ上に台座と係止体が係止される。
ここで、線状体の一端が前記台座に一端が固定され、他端がメガネのフレームに着脱自在に装着される。そのため、前記装飾体が他の物体に当たるなどしてメガネレンズから落下した場合でも、前記装飾体が取り付けられた台座と係止体とは前記線状体によってメガネのフレームに吊り下げられた状態となる。そのため、装飾体および係止体を紛失することはない。
【０００７】
好適には、第１の観点の発明のメガネレンズ装飾体は、前記線状体の一端に前記台座が固定され、前記線状体の他端に、前記フレームに着脱自在に装着されるメガネフレーム装着部が設けられており、前記線状体上の前記台座と前記メガネフレーム装着部との間に前記係止体が固定されている。
好適には、第１の観点の発明のメガネレンズ装飾体の前記台座は、ドーナツ形状であり、その中空部内に前記装飾体の一部が埋め込まれている。
好適には、第１の観点の発明のメガネレンズ装飾体は、前記台座および前記係止体の各々に、相互に磁力によって引き合う永久磁石が設けられている。
【０００８】
好適には、第１の観点の発明のメガネレンズ装飾体の前記係止体には、装飾体が埋め込まれている。
好適には、第１の観点の発明のメガネレンズ装飾体の前記線状体は、チェーンであり、前記メガネフレーム装着部は、前記チェーンに沿って移動可能に当該チェーンを貫通させた貫通孔を備えており、その表面に設けられた係止部に、前記チェーンの一端が取り付けられている。
好適には、第１の観点の発明のメガネレンズ装飾体の前記メガネフレーム装着部には、装飾体が埋め込まれている。
好適には、第１の観点の発明のメガネレンズ装飾体の前記線状体の長さは、５〜３０ｃｍである。
【０００９】
第２の観点の発明のメガネ用装飾体装着具は、メガネレンズに装飾体を装着するために用いられるメガネ用装飾体装着具であって、前記メガネレンズの一方の面に係止され、前記装飾体が固定される台座と、前記メガネレンズの他方の面の前記台座が係止された位置と相対する位置に前記台座との間の磁力によって係止される係止体と、メガネのフレームに着脱自在に装着され、前記台座と前記係止体とが取り付けられた線状体とを有する。
【発明の効果】
【００１０】
本発明によれば、メガネのレンズに磁石により係止された装飾体が落下により紛失することを防止することができるメガネレンズ用装飾体およびメガネ用装飾体装着具を提供することができる。
【発明を実施するための最良の形態】
【００１１】
以下、本発明の実施形態に係るメガネ用装飾体について説明する。
＜第１実施形態＞
図１は、本発明の実施形態に係るメガネ用装飾体１の正面の外観図である。図２は図１に示すメガネ用装飾体１の装飾体３０が固定された台座２０の背面と、その側面の外観を説明するための図である。図３は、図１に示すメガネ用装飾体１をメガネ３に装着した状態の断面構造を説明するための図である。
【００１２】
図１に示すように、メガネ用装飾体１は、例えば、チェーン部１０ａ，１０ｂ、台座２０、装飾体３０、レンズ裏面用磁石４０およびメガネ装着用ボール部６０を有する。
ここで、チェーン部１０、台座２０、は、例えば、金（Ａｕ）、銀 （Ａｇ）、白金 （Ｐｔ）やその他の金属などで構成される。
【００１３】
ここで、台座２０が本発明の台座の一例であり、装飾体３０が本発明の装飾体本体の一例であり、レンズ裏面用磁石４０が本発明の係止体の一例であり、チェーン部１０ａ，１０ｂが本発明の線状体の一例である。
【００１４】
メガネ用装飾体１は、メガネのレンズの表面に永久磁石が組み込まれた台座２０を置き、それに相対するレンズの裏面にレンズ裏面用磁石４０を置くことで、台座２０とレンズ裏面用磁石４０とによって磁力によりレンズを挟み込み、レンズ表面の所望の位置に装飾体３０を係止させるものである。
メガネ用装飾体１では、チェーン部１０ｂの一端がレンズ裏面用磁石４０の係止具４２に取り付けられ、チェーン部１０ｂの他端が台座２０の係止具２２に取り付けられている。
また、チェーン部１０ａの一端が台座２０の係止具２２に取り付けられ、チェーン部１０ａの他端にメガネフレーム装着部６５が設けられている。
【００１５】
そのため、装飾体３０等が何らかの衝撃が加わり、レンズ上での台座２０とレンズ裏面用磁石４０との位置関がずれて、台座２０およびレンズ裏面用磁石４０が落下しても、台座２０およびレンズ裏面用磁石４０は、メガネフレーム装着部６５によってメガネのフレームに装着されたチェーン部１０ａ，１０ｂを介して、メガネのフレームに吊り下げられた状態になる。そのため、装飾体３０、台座２０およびレンズ裏面用磁石４０を紛失することを回避できる。
【００１６】
以下、メガネ用装飾体１の各構成要素について詳細に説明する。
図１に示すように、メガネ用装飾体１では、チェーン部１０ｂの一端がレンズ裏面用磁石４０の係止具４２に取り付けられ、チェーン部１０ｂの他端が台座２０の係止具２２に取り付けられている。
また、チェーン部１０ａの一端が台座２０の係止具２２に取り付けられ、チェーン部１０ａの他端にメガネフレーム装着部６５が設けられている。
【００１７】
チェーン部１０ａ，１０ｂは、例えば、金属や合成樹脂などで形成されている。
チェーン部１０ａの長さは、例えば、約３〜２０ｃｍであり、好適には約７ｃｍである。チェーン部１０ｂの長さは、例えば、約２〜１０ｃｍであり、好適には約４ｃｍである。
チェーン部１０ａ，１０ｂの長さは、レンズ上に装飾体３０を配置する自由度と、チェーン部１０ａ，１０ｂの長さへの要求に応じて決定される。
【００１８】
メガネフレーム装着部６５は、メガネ装着用ボール部６０によってチェーン部１０ｂをリング状にすることで形成される。
メガネ装着用ボール部６０は、中心点を通る貫通孔６０ａを有し、この貫通孔６０ａにチェーン部１０ａが移動可能な状態で貫通している。
メガネ装着用ボール部６０は、係止具６２と貫通孔６０ａとの間に位置するチェーン部１０ａの一部によって形成されるメガネフレーム装着部６５のリングの大きさを調整するために用いられる。メガネフレーム装着部６５は、メガネのフレームに装着される。
指などでメガネ装着用ボール部６０をチェーン部１０ａに沿って移動させて台座２０に近づけると上記リングが大きくなり、係止具６２に近づけると上記リングが小さくなる。
ユーザは、指などでメガネ装着用ボール部６０をチェーン部１０ａに沿って移動させて上記リングを大きくした状態で、当該リング内にメガネのフレームに通し、図４に示すように、フレーム３のレンズ側の所定位置で上記リングを小さくする。これにより、フレーム３からメガネフレーム装着部６５が容易に外れないようにすることができる。
【００１９】
レンズ裏面用磁石４０は、永久磁石であり、例えば、台座２０と略同じ外径の円盤形状をしている。
レンズ裏面用磁石４０の外周には、係止具４２が設けられている。
係止具４２には、チェーン部１０ｂの端部のリングが取り付けらている。
【００２０】
台座２０は、例えば、略ドーナッツ形状であり、外周面の所定箇所に係止具２２が固定されている。係止具２２には、チェーン部１０ｂの端部のリングと、チェーン部１０ａの端部のリングとが取り付けられている。
図２に示すように、台座２０の外周面には、周方向に沿って等間隔に４箇所にダイヤモンドである装飾体３０を係止するツメ（爪）２４ａ，２４ｂ，２４ｃ，２４ｄが設けられている。
ツメ２４ａの側面には係止具２２が設けられている。台座２０の厚みは例えば約１．５ｍｍである。
【００２１】
ダイヤモンドは、通常、略円錐体にカットされるため、頂点側を図２に示すように台座２０の開口部２０ｘに嵌めこむことで、台座２０および装飾体３０の総厚みを薄くでき、優れたデザインが得られる。
なお、本実施形態では、装飾体３０としてのダイヤモンドを４箇所のツメ２４ａ，２４ｂ，２４ｃ，２４ｄで係止する場合を例示したが、４箇所以外の複数個所のツメで形成してもよい。また、装飾体３０はダイヤモンド以外であってもよいし、装飾体３０の種類に応じて台座２０に装飾体３０を係止させる構造は適宜決定される。
【００２２】
台座２０の内部には、永久磁石が組み込まれている。また、台座２０自体を永久磁石で形成してもよい。
【００２３】
以下、メガネのフレーム３へのメガネ用装飾体１の装着方法を説明する。
ユーザは、前述したように、指などでメガネ装着用ボール部６０をチェーン部１０ａに沿って台座２０に向けて移動させて上記リングを大きくした状態で、メガネフレーム装着部６５のリングの開口部にメガネのフレーム３に通し、図４に示すように、フレーム３のレンズ側の所定位置で上記リングを小さくする。これにより、チェーン部１０ａの一端がメガネのフレーム３に取り付ける。
【００２４】
次にユーザは、図３および図４に示すように、台座２０を装飾体３０が表側に位置するようにメガネのレンズ７０の表面の所望の位置に置き、それを保持した状態で、レンズ裏面用磁石４０と台座２０との間で引き合う方向に磁力が働く面を、メガネのレンズ７０の裏面の相対する位置に置く。具体的には、台座２０のレンズ表面に接合される面がＳ極の場合にはレンズ裏面用磁石４０のＮ極の面をレンズ裏面に接合する。一方、台座２０のレンズ表面に接合される面がＮ極の場合にはレンズ裏面用磁石４０のＳ極の面をレンズ裏面に接合する。
【００２５】
これにより、メガネのレンズ７０を介して台座２０とレンズ裏面用磁石４０とが磁力により引き合い、台座２０とレンズ表面との間、並びにレンズ裏面用磁石４０とレンズ裏面との間に、それぞれ台座２０およびレンズ裏面用磁石４０の位置を重力に抗して保持するのに十分な摩擦力が発生する。
【００２６】
上述したメガネ用装飾体１では、メガネのレンズ７０に装着された状態で、例えば装飾体３０が何かに接触してレンズ７０上での台座２０とレンズ裏面用磁石４０との位置関係がずれて、装飾体３０およびレンズ裏面用磁石４０が落下しても、図５に示すように、台座２０およびレンズ裏面用磁石４０は、メガネフレーム装着部６５によってメガネのフレームに装着されたチェーン部１０を介して、当該フレームに吊り下げられた状態になる。そのため、装飾体３０、台座２０およびレンズ裏面用磁石４０を紛失することを回避できる。
【００２７】
また、メガネ用装飾体１は、図１等に示すようにデザイン性を有しており、装飾体３０と一体となって優れたデザインを提供できる。
【００２８】
＜第２実施形態＞
上述した第１実施形態では、台座２０の係止具２２に、チェーン部１０ａの端部のリングとチェーン部１０ｂの端部のリングとを取り付けた場合に、すなわち、レンズ裏面用磁石４０とメガネ装着用ボール部６０との間に台座２０が介在する場合を例示した。
図６は、本発明の第２実施形態に係るメガネ用装飾体１０１の正面の外観図である。
図６に示すように、メガネ用装飾体１０１は、レンズ裏面用磁石４０の係止具４２にチェーン部１０ａの端部のリングとチェーン部１０ｂの端部のリングとが取り付けられている。すなわち、台座２０とメガネフレーム装着部６５との間にレンズ裏面用磁石４０が介在している。
【００２９】
メガネ用装飾体１０１によっても、第１実施形態のメガネ用装飾体１と同様に、台座２０とレンズ裏面用磁石４０との間の磁力により、メガネのレンズ７０に装飾体３０を係止できる。
【００３０】
＜第３実施形態＞
図７は、本発明の第３実施形態に係るメガネ用装飾体２０１の正面の外観図である。
図７に示すように、メガネ用装飾体２０１は、チェーン部１０ｂの一端部に台座２０を取り付け、チェーン部１０ｂの他端部に台座２２０を取り付けている。台座２２０の表面には装飾体２３０が埋め込まれている。
ここで、台座２２０には、永久磁石が組み込まれており、台座２０の裏面と台座２２０の裏面とをメガネレンズ上の対向する位置に配置することで、台座２０と台座２２０との間に発生する磁力によって、レンズ上の所定の位置に係止する。
【００３１】
メガネ用装飾体２０１によっても、第１実施形態と同様の効果を得るえことができる。
また、メガネ用装飾体２０１によれば、第１実施形態のレンズ裏面用磁石４０の代わりに、装飾体２３０が埋め込まれた台座２２０を用いることで、より高い装飾性を発揮できる。
【００３２】
＜第４実施形態＞
図８は、本発明の第４実施形態に係るメガネ用装飾体３０１の正面の外観図である。
図８に示すように、メガネ用装飾体３０１は、第２実施形態と同様に、チェーン部１０ｂの一端部に台座２０を取り付け、チェーン部１０ｂの他端部に台座２２０を取り付けている。台座２２０の表面には装飾体２３０が埋め込まれている。
メガネ用装飾体３０１は、さらにメガネ装着部３６０に、装飾体３３０が埋め込まれている。メガネ装着部３６０は、例えば、円盤状であり、チェーン部１０ｂが貫通する貫通孔が設けらている。
【００３３】
メガネ用装飾体３０１によっても、第１実施形態と同様の効果を得るえことができる。
また、メガネ用装飾体３０１によれば、メガネ装着部３６０に装飾体３３０が埋め込まれていることで、より高い装飾性を発揮できる。
【００３４】
＜第５実施形態＞
図９は、本発明の第６実施形態のメガネ用装飾体において、台座２０とレンズ裏面用磁石４０とをメガネのレンズ７０に係止した状態での断面構成図である。
図９に示すように、本実施形態では、台座２０に接着シートあるいは接着剤８２を介して宝飾物８４を固定している。
【００３５】
本実施形態のメガネ用装飾体によっても高い装飾効果を発揮できる。
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、チェーン部１０ａ，１０ｂ上の装飾体を配置する位置および数は任意である。
【００３６】
上述した実施形態では、チェーン部１０ａをメガネ３のフレームに装着する手段として図１に示すメガネフレーム装着部６５を例示したが、その他に、図１０に示すように、リング状のシリコン部材４０３にドーナツ状の調整部材４０５を通した構造にしてもよい。
図１０に示す構造によれば、ユーザが指など調整部材４０５の位置を図中矢印の向きに移動して、シリコン部材４０３と調整部材４０５によって形成される輪の大きさを調整する。
【００３７】
また、チェーン部１０ａとメガネ３のフレームとを、凹凸により嵌め合形式で連結してもよい。
【００３８】
また、上述した実施形態で台座２０をドーナツ状に形成した場合を例示したが、これはドーナツ状以外の形状であってもよい。
【００３９】
また、上述した実施形態において台座２０などに装飾体３０を、上記特許公開公報に示されるように回転可能に固定してもよい。
【００４０】
また、上述した実施形態では、台座およびレンズ裏面用磁石４０の双方に永久磁石を用いた場合を例示したが、何れか一方を永久磁石とし、他方を強磁性体としてもよい。
【００４１】
また、上述した実施形態では、チェーン部１０ａと１０ｂとを個別に設けた場合を例示したが、これらを一つのチェーン部で実現してもよい。
【００４２】
上述した実施形態では、台座の機能と永久磁石の機能とを一つのモジュールによって実現した場合を例示したが、本実施形態では、これらの機能を異なるモジュールで実現している。
【産業上の利用可能性】
【００４３】
本発明は、メガネレンズに装飾体を装着する場合に適用可能である。
【図面の簡単な説明】
【００４４】
【図１】図１は、本発明の実施形態に係るメガネ用装飾体の正面の外観図である。
【図２】図２は図１に示すメガネ用装飾体１の台座の装飾体が固定された背面と側面の外観を説明するための図である。
【図３】図３は、図１に示すメガネ用装飾体をメガネに装着した状態の断面構造を説明するための図である。
【図４】図４は、図１に示すメガネ用装飾体をメガネに装着した状態を説明するための図である。
【図５】図５は、図４に示す状態から装飾体が落下した状態を説明するための図である。
【図６】図６は、本発明の第２実施形態に係るメガネ用装飾体の正面の外観図である。
【図７】図７は、本発明の第３実施形態に係るメガネ用装飾体の正面の外観図である。
【図８】図８は、本発明の第４実施形態に係るメガネ用装飾体の正面の外観図である。
【図９】図９は、本発明の第５実施形態に係るメガネ用装飾体の正面の外観図である。
【図１０】図１０は、チェーン部をメガネのフレームに装着するその他の手段を説明するための図である。
【符号の説明】
【００４５】
１，１０１，２０１，３０１，４０１…メガネ用装飾体
３…メガネ
１０ａ，１０ｂ…チェーン部
２０…台座
２４ａ，２４ｂ，２４ｃ，２４ｄ…ツメ
３０，２３０，３０ａ，３０ｂ，３０ｃ，３３０…装飾体（ダイヤモンド）
４０…レンズ裏面用磁石
６０…メガネ装着用ボール部
８２…両面接着シート
４０３…シリコン部材
４０５…調整部材
【図１】
2010002479.tif 000003
【図２】
2010002479.tif 000004
【図３】
2010002479.tif 000005
【図４】
2010002479.tif 000006
【図５】
2010002479.tif 000007
【図６】
2010002479.tif 000008
【図７】
2010002479.tif 000009
【図８】
2010002479.tif 000010
【図９】
2010002479.tif 000011
【図１０】
2010002479.tif 000012